(57)【特許請求の範囲】
【請求項１】
接続用可撓配線板を介して液晶パネルに電気的に接続される液晶パネル用配線基板であって、
可撓配線板の単層部分と、可撓配線板の複層部分とから構成され、前記可撓配線板の単層部分によって伸縮可能な伸縮部が形成されており、
前記可撓配線板の複層部分が長手方向に沿って複数存在し、それぞれの複層部分は前記接続用可撓配線板が接続されてなる接続部位とされ、環境温度の変化による長手方向に沿う伸縮を吸収するために、前記接続部位の相互間が前記伸縮部の単層の可撓配線板を撓ませた状態とされていることを特徴とする液晶パネル用配線基板。
【請求項２】
接続用可撓配線板を介して液晶パネルに液晶パネル用配線基板が電気的に接続されている液晶パネル用配線基板の取付構造において、
前記液晶パネル用配線基板が請求項１に記載の液晶パネル用配線基板であることを特徴とする液晶パネル用配線基板の取付構造。
【発明の詳細な説明】
【０００１】
【発明の属する技術分野】
本発明は、接続用可撓配線板を介して電気的に接続される液晶パネルと液晶パネル用配線基板との接続の信頼性を向上するのに好適な液晶パネル用配線基板およびその取付構造に関する。
【０００２】
【従来の技術】
従来から文字や図形などの各種の画像を表示する表示装置の一種として液晶表示装置が知られており、このような液晶表示装置の表示部として２枚の基板の間に液晶が密封された液晶パネルが用いられている。
【０００３】
このような液晶表示装置は、液晶パネルに対して電気信号などを供給するため、ＴＣＰ（Tape Carrier Package）などの接続用可撓配線板を介して、液晶パネルとバス基板などの液晶パネル用配線基板とが電気的に接続されている。
【０００４】
前記液晶パネルの基板は、透明なガラスにより形成されているのが一般的である。
【０００５】
前記液晶パネル用配線基板は、エポキシ樹脂などの絶縁性を有する樹脂積層板からなる絶縁基板の片面あるいは両面に銅箔の回路パターンを形成したプリント配線板に電子部品を取り付けた構成のものや、１層のプリント配線板をできるだけ薄く作り可撓性を具備する可撓配線板とし、これを多数積み重ねて接着した多層プリント配線板に電子部品を取り付けた構成のものが一般的に用いられている。なお、多層プリント配線板の層間の回路接続はスルーホールメッキ法により行われるのが一般的である。さらに、多層プリント配線板の外部配線である接続用可撓配線板との接続部位の表面には、接続に用いる層の回路に接続されている複数の電極端子からなる電極端子群が設けられているのが一般的である。
【０００６】
そして、液晶パネルの基板の一辺と液晶パネル用配線基板とをほぼ平行に配置し、液晶パネルの基板の非表示部に形成されている電極端子群と、液晶パネル用配線基板の接続部位に形成されている電極端子群とを、接続用可撓配線板に形成されている電極端子群によりそれぞれ電気的に接続することで、液晶パネルに対して電気信号などを供給することができるようにされている。なお、接続用可撓配線板の電気的な接続には、ハンダ、導電性粒子と接着剤から形成された異方性導電膜と称される接合剤、紫外線硬化樹脂に導電性粒子を混ぜてなる接合剤などの各種のものから設計コンセプトなどの必要に応じて選択使用されている。
【０００７】
【発明が解決しようとする課題】
ところで、前述した従来の液晶表示装置においては、液晶パネルのガラスにより形成されている基板と、液晶パネル用配線基板の樹脂により形成されているプリント配線板との線膨張率の違いにより、環境温度が高い場合には液晶パネル用配線基板が液晶パネルの基板より長手方向に沿って大きく伸張し、また、環境温度が低い場合には液晶パネル用配線基板が液晶パネルの基板より長手方向に沿って大きく収縮することで、液晶パネルと液晶パネル用配線基板との接続部、詳しくは液晶パネル用配線基板と接続用可撓配線板との接続部にストレスが加わり、液晶パネルと液晶パネル用配線基板との接続の信頼性が低下するという問題点があった。
【０００８】
本発明はこの点に鑑みてなされたものであり、液晶パネルと液晶パネル用配線基板との接続の信頼性を向上することのできる液晶パネル用配線基板およびその取付構造を提供することを目的とする。
【０００９】
前述した目的を達成するため特許請求の範囲の請求項１に係る本発明の液晶パネル用配線基板の特徴は、接続用可撓配線板を介して液晶パネルに電気的に接続される液晶パネル用配線基板であって、可撓配線板の単層部分と、可撓配線板の複層部分とから構成され、前記可撓配線板の単層部分によって伸縮可能な伸縮部が形成されており、前記可撓配線板の複層部分が長手方向に沿って複数存在し、それぞれの複層部分は前記接続用可撓配線板が接続されてなる接続部位とされ、環境温度の変化による長手方向に沿う伸縮を吸収するために、前記接続部位の相互間が前記伸縮部の単層の可撓配線板を撓ませた状態とされている点にある。そして、このような構成を採用したことにより、伸縮部は、接続部位の相互間の環境温度の変化による長手方向の伸縮を吸収できる。また、接続部位の相互間に環境温度の変化によって長手方向に伸縮する伸縮部を容易に形成することができる。
【００１２】
また、請求項２に係る本発明の液晶パネル用配線基板の取付構造の特徴は、接続用可撓配線板を介して液晶パネルに液晶パネル用配線基板が電気的に接続されている液晶パネル用配線基板の取付構造において、前記液晶パネル用配線基板が請求項１に記載の液晶パネル用配線基板である点にある。そして、このような構成を採用したことにより、伸縮部は、接続部位の相互間の環境温度の変化による長手方向の伸縮を吸収できるので、液晶パネルと液晶パネル用配線基板との接続の信頼性を向上できる。
【００１３】
【発明の実施の形態】
以下、本発明を図面に示す実施形態により説明する。
【００１４】
図１から図３は、本発明に係る液晶パネル用配線基板を適用した液晶パネル用配線基板の取付構造の実施形態を示すものであり、図１は全体構成の要部を示す平面図、図２は図１の液晶パネル用配線基板の２−２線に沿った拡大断面図、図３は図１の液晶パネル用配線基板の要部拡大分解斜視図である。
【００１５】
図１に示すように、本実施形態の液晶パネル用配線基板の取付構造（以下、単に取付構造と記す）１は、液晶パネル２０と液晶パネル用配線基板３０とが、複数、本実施形態においては３つの接続用可撓配線板４０を介して電気的に接続されている。
【００１６】
前記液晶パネル２０は、透明なガラスにより形成されている２枚の基板２１の間に液晶が密封されている従来公知のものが用いられている。そして、液晶パネル２０の視認方向の下流側に位置する一方の基板２１の図１上下に示す上下両辺部のそれぞれには、接続用可撓配線板４０との電気的な接続に用いる図示しない電極端子群が間隔をおいて配設されている。なお、液晶パネル２０としては、従来公知の各種のものを用いることができる。
【００１７】
前記液晶パネル用配線基板３０は、液晶パネル２０に対して電気信号などを供給するためのものであり、本実施形態の液晶パネル用配線基板３０は、バス基板として用いることができる。
【００１８】
また、本実施形態の液晶パネル用配線基板３０は、図１に示すように、接続用可撓配線板４０との接続に用いられる複数、本実施形態においては３つの接続部位３１が長手方向に沿って所定の間隔で形成されている。そして、液晶パネル用配線基板３０は、図２および図３に誇張して示すように、長手方向の全域にわたって配置されている可撓性を具備する単層（１層）の可撓配線板３２Ａを有している。また、接続部位３１に位置する可撓配線板３２Ａの上下両面には、回路パターンの異なる長さの短い可撓配線板３２Ｂが２層ずつ積層されて総計５層に形成されており、各層はビアホール（スルーホール）によって電気的に接続されている。これらの可撓配線板３２（可撓配線板３２Ａおよび長さの短い可撓配線板３２Ｂを総称する）は、ポリイミドフィルムなどの絶縁性を有する樹脂フィルムからなる薄い絶縁基板３２ａの片面に銅箔の回路パターン３２ｂを形成したものである。また、接続部位３１の最上層に位置する可撓配線板３２Ｂの表面には、図３に示すように、接続用可撓配線板４０との接続に用いられる電極端子群となる複数の電極端子３３が形成されている。
【００１９】
すなわち、本実施形態の液晶パネル用配線基板３０は、接続部位３１が５層構造の剛性をもつ構成とされており、接続部位３１の相互間は、単層の可撓配線板３２Ａにより可撓性を具備する構成とされている。
【００２０】
また、可撓配線板３２Ａは、図２に誇張して示すように、接続部位３１の相互間において撓んだ状態で取り付けられており、これらの部位により、長手方向に沿って伸縮可能な伸縮部３４が形成されている。この伸縮部３４は、接続用可撓配線板４０との接続に用いられる接続部位３１の相互間のうちの少なくとも１箇所に形成されていればよい。さらに、伸縮部３４としては、接続部位３１の相互間が伸縮可能な構成、例えば蛇腹状とする構成としてもよい。
【００２１】
なお、伸縮部３４を構成するための可撓配線板３２Ａを撓ませる量は、液晶パネル２０の基板２１の素材と、液晶パネル用配線基板３０の絶縁基板３２ａの素材との両者の線膨張率から設定することができる。また、可撓配線板３２Ａを撓ませる量は、必要以上に多くしてもよいが、あまり多くすると、可撓配線板３２Ａの全長が長くなりコスト上昇が大きくなったり、液晶パネル用配線基板３０の全体の厚さが厚くなって、液晶表示装置の薄型化を阻害することになる。
【００２２】
本実施形態の接続用可撓配線板４０は、液晶パネル２０の電極端子群と液晶パネル用配線基板３０の電極端子群を形成する複数の電極端子３３とを電気的に接続するためのものであり、本実施形態においては、ＴＣＰが用いられている。
【００２３】
前記取付構造１のその他の構成は、従来公知の取付構造と同様とされているので、その詳しい説明は省略する。
【００２４】
つぎに、前述した構成からなる本実施形態の作用について説明する。
【００２５】
本実施形態の液晶パネル用配線基板の取付構造１によれば、液晶パネル用配線基板３０の伸縮部３４が環境温度の変化による液晶パネル用配線基板３０の長手方向の伸縮を吸収するように働く。つまり、液晶パネル用配線基板３０の伸縮部３４は、液晶パネル２０のガラスにより形成されている基板２１と、液晶パネル用配線基板３０の樹脂により形成されている絶縁基板３２ａとの線膨張率の違いにより生じる環境温度の変化にともなう伸縮量の差を吸収するように働く。さらに説明すると、伸縮部３４は、環境温度の変化によって伸縮することで、液晶パネル２０の基板２１と接続用可撓配線板４０との接続部であるパネル側接続部と、液晶パネル用配線基板３０と接続用可撓配線板４０との接続部である配線基板側接続部との両者の相対位置を、環境温度の変化にかかわらず常に一定に保持するように働く。
【００２６】
また、本実施形態の液晶パネル用配線基板の取付構造１によれば、液晶パネル用配線基板３０の単層の可撓配線板３２Ａを撓んだ状態で取り付けることにより、液晶パネル用配線基板３０の接続部位３１の相互間を長手方向に沿って伸縮可能な伸縮部３４を容易に形成することができる。
【００２７】
したがって、本実施形態の液晶パネル用配線基板の取付構造１によれば、液晶パネル２０と液晶パネル用配線基板３０との接続部、詳しくは液晶パネル用配線基板３０と接続用可撓配線板４０との接続部にストレスが加わるのを容易かつ確実に防止できるので、液晶パネル２０と液晶パネル用配線基板３０との接続の信頼性を向上できる。
【００２８】
なお、本発明は前記実施形態に限定されるものではなく、必要に応じて種々変更することができる。
【００２９】
【発明の効果】
以上説明したように請求項１に係る本発明の液晶パネル用配線基板によれば、伸縮部は、接続部位の相互間の環境温度の変化による長手方向の伸縮を吸収できるなどの極めて優れた効果を奏する。また、接続部位の相互間に環境温度の変化によって長手方向に伸縮する伸縮部を容易に形成することができるなどの極めて優れた効果を奏する。
【００３２】
また、請求項２に係る本発明の液晶パネル用配線基板の取付構造によれば、伸縮部は、接続部位の相互間の環境温度の変化による長手方向の伸縮を吸収できるなどの極めて優れた効果を奏する。その結果、液晶パネルと液晶パネル用配線基板との接続の信頼性を向上できるなどの極めて優れた効果を奏する。
【図面の簡単な説明】
【図１】  本発明に係る液晶パネル用配線基板を適用した液晶パネル用配線基板の取付構造の実施形態の全体構成の要部を示す平面図
【図２】  図１の液晶パネル用配線基板の２−２線に沿った拡大断面図
【図３】  図１の液晶パネル用配線基板の要部拡大分解斜視図
【符号の説明】
１  （液晶パネル用配線基板の）取付構造
２０  液晶パネル
２１  基板
３０  液晶パネル用配線基板
３１  接続部位
３２、３２Ａ、３２Ｂ  可撓配線板
３２ａ  絶縁基板
３２ｂ  回路パターン
３３  電極端子
３４  伸縮部
４０  接続用可撓配線板
【図１】
0004902060.tif 000002
【図２】
0004902060.tif 000003
【図３】
0004902060.tif 000004